(57)【要約】【課題】  この発明は装着しても鼻孔を大きく広げて顔の美観を損ねる事なく、鼻孔の奥へ花粉や塵埃や悪臭等の侵入を防止し、クリーンな空気を吸入し、且つ、体内から出る鼻汁の吸水を可能にした安全・高性能で使い易く、壊れ難い安心して使用出来る鼻栓を開発・提供する事にある。【解決手段】  略Ｕ字状に形成した保持軸フレームを設け、且つ、該保持軸フレームの左右両先端部に周囲に複数の通気用切欠部を有する逆お椀状の上カバーと、濾過用フィルターと、周囲に複数の通気用穴を有する下カバーをそれぞれ重合軸支して設け、鼻栓使用時は左右鼻孔の鼻前庭部にそれぞれ装着可能にして設けたものである。【選択図】  図４
2009297053.tif 000002
【特許請求の範囲】
【請求項１】
左右鼻孔の鼻前庭部に装着して汚染された空気の侵入を防止し、クリーンな空気を吸入し、且つ、体内から出る鼻汁の吸水を可能にした鼻栓において、該鼻栓（ＮＣ）は略Ｕ字状に形成した保持軸フレーム（１）を設け、且つ、該保持軸フレーム（１）の左右両先端部に周囲に複数の通気用切欠部（２ａ）を有する逆お椀状の上カバー（２）と、鼻汁吸収部材（３）と、周囲に複数の通気用穴（４ａ）を有する逆皿状の下カバー（４）とをそれぞれ重合軸支して設け、鼻栓（ＮＣ）使用時は左右鼻孔（５）の鼻前庭部（６）（６）にそれぞれ装着可能にして設けた事を特徴とする鼻栓。
【請求項２】
下カバー（４）の外径寸法を、人体の鼻孔（５）に適合した上カバー（２）の外径寸法より装着性を考慮したやや大きめな所定寸法の逆皿状に形成して設け、装着時は容易に挿入可能で、且つ、使用時は下カバー（４）の弾力により簡単に脱落しないようにして設けた事を特徴とする請求項１記載の鼻栓。
【請求項３】
保持軸フレーム（１）の左右二段式鍔部（１ａ）（１ａ），（１ａ）（１ａ）の中軸部に、装着時上下方向の動きを容易にした薄肉板部（１ｂ）（１ｂ）を左右方向にそれぞれ設けた事を特徴とする請求項１記載の鼻栓。
【発明の詳細な説明】
【技術分野】
【０００１】
この発明は、左右鼻孔の鼻前庭部に装着して汚染された空気の侵入を防止し、クリーンな空気を吸入し、且つ、体内から出る鼻汁の吸水を可能にした鼻栓に関するものである。
【背景技術】
【０００２】
従来の鼻栓及び鼻マスクは、本来汚れた空気を清浄にして吸入する事だけを目的としているものではなく、汚れた空気を濾過する事を目的とすると共に、花粉症等の治療用具として、又、水浴の場合には水中演技の際に鼻栓として使用する事も出来る多機能を有するもので、空気中に浮遊している浮遊塵は、花粉、汚染塵、悪臭等様々であり、その吸入を防止するために鼻孔に装着されている従来の鼻栓及び鼻マスクは、装着具にマスク部が固定される構造になっているものが多く、一種類のマスクに限定されていた。又、鼻の穴の外側に近い位置にマスク（フィルター）があるので外れ易く、装着していても鼻孔を大きく広げて顔の美観を損ねる等の問題が有った。
【０００３】
又、装着具に直接弾性体（クッション材）やマスク（フィルター）が係止されていた為、長く使用する内に徐々に外れ易く成り、又、鼻の奥に入り込んで取り出すのに苦労する等、安全性や耐久性や美観等に問題があった。
【０００４】
これまでに出願されている鼻栓又は鼻マスクの特許文献を参考の為に紹介する。（特許文献１〜４参照。）
【特許文献１】特開平９−２３９０４７
【特許文献２】特開２００２−１５３５６９
【特許文献３】特開２００２−３０１１５２
【特許文献４】登録実用第３０１７５６３号
【発明の開示】
【発明が解決しようとする課題】
【０００５】
そこで、上記課題を解決する為に、この発明は装着しても鼻孔を大きく広げて顔の美観を損ねる事なく、鼻孔の奥へ花粉や塵埃や悪臭等の侵入を防止し、クリーンな空気を吸入し、且つ、体内から出る鼻汁の吸水を可能にした安全・高性能で使い易く、壊れ難い安心して使用出来る鼻栓を開発・提供する事にある。
【課題を解決するための手段】
【０００６】
この課題を解決する為の手段として、略Ｕ字状に形成した保持軸フレームを設け、且つ、該保持軸フレームの左右両先端部に周囲に複数の通気用切欠部を有する逆お椀状の上カバーと、鼻汁吸収部材と、周囲に複数の通気用穴を有する下カバーをそれぞれ重合軸支して設け、鼻栓使用時は左右鼻孔の鼻前庭部にそれぞれ装着可能にして設けたものである。
【０００７】
又、下カバーの外径寸法を、人体の鼻孔に適合した上カバーの外径寸法より装着性を考慮したやや大きめな所定寸法の逆皿状に形成して設け、装着時は容易に挿入可能で、且つ、使用時は下カバーの弾力により簡単に脱落しないようにして設けたものである。
【０００８】
又、保持軸フレームの左右二段式鍔部の中軸部に、装着時上下方向の動きを容易にした薄肉板部を左右方向にそれぞれ設けたものである。
【発明の効果】
【０００９】
この発明の効果として、略Ｕ字状に形成した保持軸フレームを設け、且つ、該保持軸フレームの左右両先端部に周囲に複数の通気用切欠部を有する逆お椀状の上カバーと、鼻汁吸収部材と、周囲に複数の通気用穴を有する下カバーをそれぞれ重合軸支して設けた事で、鼻孔への装着が容易に出来、且つ、下カバーの弾性力により脱落し難く、鼻汁吸収部材が上下二つのカバーで保護されている為、傷み難く脱落して鼻の奥へ入り込む心配が無い為、安心して使用出来る。又、保持軸フレームの左右二段式鍔部の中軸部に薄肉板部を左右方向にそれぞれ設けた事で、装着時の鼻の動きに対応し易く成っている等、極めて有益なる効果を奏するものである。
【発明を実施するための最良の形態】
【００１０】
この発明の最良の形態として、本発明の課題を解決する為に、保持軸フレームの左右先端部に周囲に複数の通気用切欠部を有する逆お椀状の上カバーと周囲に複数の通気用穴を有する下カバーとを設けて、且つ、上カバーと下カバーの中間部に鼻汁吸収部材を重合する事で、脱落防止と鼻汁吸収部材を保護する事で吸入性・耐久性・安全性の向上を図り、且つ、保持軸フレームの左右二段式鍔部の中軸部に薄肉板部を左右方向にそれぞれ設けて、装着時の鼻の動きに対応し易くしている。
【実施例１】
【００１１】
そこで、この発明の一実施例を図１〜図４に基づいて詳述すると、左右鼻孔の鼻前庭部に装着して体内から出る鼻汁の吸水を可能にした鼻栓において、該鼻栓（ＮＣ）は略Ｕ字状に形成した保持軸フレーム（１）を設け、且つ、該保持軸フレーム（１）の左右両先端部に周囲に複数の通気用切欠部（２ａ）を有する逆お椀状の上カバー（２）と、鼻汁吸収部材（３）と、周囲に複数の通気用穴（４ａ）を有する下カバー（４）とをそれぞれ重合軸支して設け、鼻栓（ＮＣ）使用時は左右鼻孔（５）の鼻前庭部（６）（６）にそれぞれ装着可能にして設けた事を特徴とする鼻栓から構成される。
【００１２】
又、下カバー（４）の外径寸法を、人体の鼻孔（５）に適合した上カバー（２）の外径寸法より装着性を考慮したやや大きめな所定寸法の逆皿状に形成して設け、装着時は容易に挿入可能で、且つ、使用時は下カバー（４）の弾力により簡単に脱落しないようにして設けたものである。
【００１３】
又、保持軸フレーム（１）の左右二段式鍔部（１ａ）（１ａ），（１ａ）（１ａ）の中軸部に、装着時上下方向の動きを容易にした薄肉板部（１ｂ）（１ｂ）を左右方向にそれぞれ設けたものである。
【００１４】
次に、この発明の詳細について説明すると、鼻栓は図１〜図４に示す様に、略Ｕ字状に形成した保持軸フレーム（１）と、保持軸フレームの左右両先端部に周囲に複数の通気用切欠部（２ａ）を有する逆お椀状の上カバー（２）と、水を吸入すると７倍に膨張するスポンジ素材で形成された鼻汁吸収部材（３）と、周囲に複数の通気用穴（４ａ）を有する下カバーとをそれぞれ重合軸支して設け、又、下カバー（４）の外径寸法を、人体の鼻穴（５）に適合した上カバー（２）の外径寸法より装着性を考慮したやや大きめな所定寸法の逆皿状に形成して設け、装着時は容易に挿入可能で、且つ、使用時は下カバー（４）の弾力により簡単に脱落しないよう形成されている。又、保持軸フレーム（１）の左右の二段式鍔部（１ａ）（１ａ），（１ａ）（１ａ）の中軸部に、装着時上下方向の動きを容易にした薄肉板部（１ｂ）（１ｂ）を左右方向にそれぞれ設けている。
【００１５】
更に、詳細部分では上カバー（２）の形状を逆お椀状に形成して、装着時に鼻孔に容易に挿入出来、且つ、周囲に複数の切欠部を設けて、鼻を動かしてもカバーが追従し易く形成されている。
【００１６】
又、下カバー（４）も形状を逆皿状に形成し、周囲に複数の通気用穴（４ａ）を設ける事で、弾力性を持たせ上カバーと同様に挿入し易くし、逆に引き抜き方向時には外周方向に変形する為、摩擦抵抗が増して抜け難い構造に成っている。
【００１７】
又、上記保持軸フレームの長さは鼻孔の鼻前庭部（６）に鼻汁吸収部材（３）部の上カバー（２）の外径が適合し、且つ、過剰に鼻孔に入り込んで鼻腔（８）部を傷付けない最適寸法に設定されている。
【００１８】
次に、本発明である鼻栓（ＨＣ）の取り扱い方法について説明すると、図５（Ａ）に示す様に、装着時は、人体の左右両鼻孔（５）の鼻前庭部（６）に鼻汁吸収部材（３）がそれぞれ収まるように装着する。又、取り外す時は、保持軸フレームの後端中央部を手で摘まんでゆっくり抜き取る。
【実施例２】
【００１９】
その他の実施例として、上記の鼻栓（ＨＣ）の鼻汁吸収部材（３）部を不織布で形成した薄型空気清浄フィルター（３'）に交換して使用すれば、汚染された空気の侵入を防止し、クリーンな空気を吸入することが出来る。
【産業上の利用可能性】
【００２０】
この発明の鼻栓は、装着しても鼻孔を大きく広げて顔の美観を損ねる事なく、鼻孔の奥へ花粉や塵埃や悪臭等の侵入を防止し、クリーンな空気を吸入し、且つ、体内から出る鼻汁の吸水を可能にした安全・高性能で使い易く、壊れ難い安心して使用出来る為、多くの花粉症や鼻病患者等に寄与する点で産業上の利用可能性を有する。
【図面の簡単な説明】
【００２１】
【図１】この発明の一実施例を示し、（Ａ）は平面図で、（Ｂ）は正面図である。
【図２】この発明の一実施例を示し、（Ａ）は右側面図で、（Ｂ）は左側面図である。
【図３】この発明の一実施例を示し、（Ａ）は図１（Ａ）のａ−ａ矢視断面図で、（Ｂ）は図１（Ａ）のｂ−ｂ矢視断面図である。
【図４】この発明の一実施例を示し、斜視図である。
【図５】その他の実施例で薄型空気清浄フィルター使用時を示し、（Ａ）は図１（Ａ）のａ−ａ矢視断面図で、（Ｂ）は図１（Ａ）のｂ−ｂ矢視断面図である。
【図６】この発明の使用例を示し、（Ａ）は鼻栓の装着要領を示す断面図で、（Ｂ）は図５（Ａ）のａ−ａ矢視断面図である。
【符号の説明】
【００２２】
１  保持軸フレーム
１ａ  鍔部
１ｂ  薄肉板部
２  上カバー
２ａ  通気用切欠部
３  鼻汁吸収部材
３'  空気清浄フィルター
４  下カバー
４ａ  通気用穴
５  鼻孔
６  鼻前庭部
７  鼻中隔
８  鼻腔
ＮＣ  鼻栓（鼻汁吸収用）
ＮＣ'   鼻栓（空気清浄用）
【図１】
2009297053.tif 000003
【図２】
2009297053.tif 000004
【図３】
2009297053.tif 000005
【図４】
2009297053.tif 000006
【図５】
2009297053.tif 000007
【図６】
2009297053.tif 000008